(57)【要約】【課題】非常ボタンの保護カバーに関し、新規な構成を提案する。【解決手段】意図しない非常ボタンの押し操作を防止するための非常ボタンの保護カバー３であって、前記保護カバー３には、予め破断用部位３４・３４が形設され、前面保護カバー３には、非常ボタンと接触する押圧用部位３３が形設され、前記保護カバー３において前記押圧用部位３３が押圧された際に、前記破断用部位３４・３４が破断することで、前記押圧用部位３３を介した非常ボタン２の押し操作が実施される、こととする。【選択図】図１
2010275721.tif 000002
【特許請求の範囲】
【請求項１】
意図しない非常ボタンの押し操作を防止するための非常ボタンの保護カバーであって、
前記保護カバーには、予め破断用部位が形設され、
前面保護カバーには、前記非常ボタンと接触する押圧用部位が形設され、
前記保護カバーにおいて前記押圧用部位が押圧された際に、
前記破断用部位が破断することで、前記押圧用部位を介した非常ボタンの押し操作が実施される、こととする、非常ボタンの保護カバー。
【請求項２】
前記保護カバーは、
前記操作用装置の本体側に形設されて前記非常ボタンを覗かせるボタン開口部と、前記非常ボタンと、の間に形設される隙間部に挿入されるための挿入片部を有し、
前記挿入片部が、前記ボタン開口部の端面に圧着されることで、
前記保護カバーが、前記操作用装置の本体に装着される、
ことを特徴とする、請求項１に記載の非常ボタンの保護カバー。
【請求項３】
前記保護カバーは、板状のベース部を有し、
前記ベース部に前記ベース部のオモテ面とウラ面の間を貫通させる複数の貫通部を形設し、
複数の前記貫通部の間の部位を、前記破断用部位とするとともに、
前記貫通部によって囲まれる部位を、前記押圧用部位とする、
ことを特徴とする、請求項２に記載の非常ボタンの保護カバー。
【請求項４】
前記保護カバーは透明性を有し、前記保護カバーを装着した状態において、前記非常ボタンの押圧面が視認できる構成とする、
ことを特徴とする、請求項１乃至請求項３のいずれか一項に記載の非常ボタンの保護カバー。
【請求項５】
前記保護カバーは、蛍光性を有する、
ことを特徴とする、請求項１乃至請求項４のいずれか一項に記載の非常ボタンの保護カバー。
【請求項６】
請求項１乃至請求項５のいずれか一項に記載の保護カバーを備える操作用装置。
【請求項７】
請求項６に記載の操作用装置を備えるシャッター装置。
【発明の詳細な説明】
【技術分野】
【０００１】
本発明は、火災等の非常時においてシャッター装置を随時閉鎖させるための技術に関するものであり、より詳しくは、随時閉鎖させる際に操作される非常ボタンの保護カバーに関連するものである。
【背景技術】
【０００２】
従来、銀行や商業施設などの建物の入口や通路などに設けられるシャッター装置においては、火災等の非常時において、任意にシャッターを降下させることによる随時閉鎖の機能が義務付けられている。例えば、操作用装置をシャッターに付設するとともに、この操作用装置を人が任意に操作できるようにするための非常ボタンを設置する構成とすることにより、非常時にてシャッターを下降させるための防災信号が出力される前においても、非常ボタンを操作することで、任意にシャッターを降下できる技術が知られている（特許文献１参照。）。
【０００３】
また、非常ボタンは、いたずらによる非常時以外での操作や、荷物などが接触することによる誤操作を防ぐために、非常ボタンを保護カバーにて囲むようにして保護する構成が周知となっている。また、このような保護カバーは、一般に、透明性のある樹脂ガラスなどで構成されており、保護カバーの奥に配置される非常ボタンを視認できるように構成されている。
【０００４】
また、保護カバーが樹脂ガラスなどで構成されるものにおいて、保護カバーの奥に配置される非常ボタンを操作するためには、まずは、保護カバーを破壊する必要があるものが知られている。このような構成では、「非常ボタンの操作は非常時に限られる」「保護カバーを破壊してまでも非常ボタンを操作する緊急事態である」といったように、「操作する人に対して非常ボタンの操作の必要性を認識させる」といった心理的効果が期待できるものとなる。
【０００５】
さらに、保護カバーが破壊される構成では、非常ボタンが操作された場合には、保護カバーが破壊されたままで残るため、この保護カバーが破壊した状態を、非常ボタンが操作されたという履歴の確認に活用できることとなっている。
【先行技術文献】
【特許文献】
【０００６】
【特許文献１】特開２００８−１４４４４８号公報
【発明の概要】
【発明が解決しようとする課題】
【０００７】
前述のように、非常ボタンの保護カバーには、いたずらや誤操作の防止、非常ボタンの操作の必要性を認識させる心理的効果、履歴の確認、などの利点があることから、シャッター装置を設置するユーザー（建物管理者、建物所有者など）にとっては、保護カバーを備えることが望まれることである。
【０００８】
しかし、従来の保護カバーでは、「保護カバーを破壊する」という第一の段階と、「非常ボタンを操作する」という第二の段階が存在することになり、二段階の操作となるものである。そして、このような二段階の操作になると、一段階目で発生した保護カバーの破損部が存在する状態で、二段階目の非常ボタンの操作が必要となるため、指先などが破損部に接触してしまう恐れがある。
【０００９】
また、実際に非常ボタンの操作が必要となるのは、火災等の非常時であり、一分一秒を争う緊迫した状況となるのである。このような緊迫した状況において、従来の保護カバーの構成のように二段階の操作が必要となるものにおいて、迅速かつ確実な非常ボタンの操作を行うことは困難なことである。また、非常時の停電での状況下や、夜間であると、まずは非常ボタンの位置を探すことから始める必要があり、状況はさらに過酷なものとなる。
【００１０】
以上に加え、従来の保護カバーは、非常ボタンが設けられるユニットに形成された専用の取付部に取付けられるものであるため、このような専用の取付部がなく、既に設置されたシャッター装置については、大掛かりな加工作業にて保護カバーを後付することや、ユニット全体の交換とそれに伴う電気工事などが必要とされるものであった。このようなことでは、工事発生やコストの観点から、ユーザーに保護カバーの後付を断念してもらわなければならない状況になってしまう。
【００１１】
さらに、保護カバーが不慮に破損した場合や、非常時に非常ボタンが操作されて復旧をする際には、保護カバーの交換が必要となるため、保護カバーの交換のコストも考慮に入れなければならないことになる。つまり、保守・交換費用が高額であると、このことによって、ユーザーに負担を強いることになってしまう。
【００１２】
以上のように、非常ボタンの保護カバーは、設置されることによる利点はあるものの、非常時における非常ボタンの操作の容易性・確実性の観点や、既存の操作用装置に対する後付に対する要望への対応の観点などにおいて、課題が残るものとなっている。
【００１３】
そこで、本発明は、以上の問題点に鑑み、非常ボタンの保護カバーに関し、新規な構成を提案するものである。
【課題を解決するための手段】
【００１４】
本発明の解決しようとする課題は以上の如くであり、次にこの課題を解決するための手段を説明する。
【００１５】
即ち、請求項１に記載のごとく、
意図しない非常ボタンの押し操作を防止するための非常ボタンの保護カバーであって、
前記保護カバーには、予め破断用部位が形設され、
前面保護カバーには、前記非常ボタンと接触する押圧用部位が形設され、
前記保護カバーにおいて前記押圧用部位が押圧された際に、
前記破断用部位が破断することで、前記押圧用部位を介した非常ボタンの押し操作が実施される、こととするものである。
【００１６】
また、請求項２に記載のごとく、
前記保護カバーは、
前記操作用装置の本体側に形設されて前記非常ボタンを覗かせるボタン開口部と、前記非常ボタンと、の間に形設される隙間部に挿入されるための挿入片部を有し、
前記挿入片部が、前記ボタン開口部の端面に圧着されることで、
前記保護カバーが、前記操作用装置の本体に装着される、
こととするものである。
【００１７】
また、請求項３に記載のごとく、
前記保護カバーは、板状のベース部を有し、
前記ベース部に前記ベース部のオモテ面とウラ面の間を貫通させる複数の貫通部を形設し、
複数の前記貫通部の間の部位を、前記破断用部位とするとともに、
前記貫通部によって囲まれる部位を、前記押圧用部位とすることとするものである。
【００１８】
また、請求項４に記載のごとく、
前記保護カバーは透明性を有し、前記保護カバーを装着した状態において、前記非常ボタンの押圧面が視認できる構成とする、
こととするものである。
【００１９】
また、請求項５に記載のごとく、
前記保護カバーは、蛍光性を有する、
こととするものである。
【００２０】
また、請求項６に記載のごとく、
請求項１乃至請求項５のいずれか一項に記載の保護カバーを備える操作用装置とするものである。
【００２１】
また、請求項７に記載のごとく、
請求項６に記載の操作用装置を備えるシャッター装置とするものである。
【発明の効果】
【００２２】
本発明の効果として、以下に示すような効果を奏する。
【００２３】
即ち、請求項１に記載の発明においては、
破断用部位が破断した際には、押圧用部位とともに非常ボタンが押し操作されることになり、非常時における非常ボタンの操作の容易性・確実性を実現することができる。また、破断用部位の破断により、非常ボタンが操作されたという履歴の確認も行うことができる。
【００２４】
また、請求項２に記載の発明においては、
保護カバーを操作用装置に対して容易に取付けることが可能となり、既存の操作用装置に対する後付に対する要望に応じることや、交換の容易性を実現することができる。
【００２５】
また、請求項３に記載の発明においては、
貫通部を形設するだけで、破断用部位として機能する部位と、押圧用部位として機能する部位を構成することができ、簡易な構成となって、安価な製作コストにより保護カバーを製作することができる。また、後付・交換の観点からも、安価な製作コストとを実現することは、極めて有効となる。
【００２６】
また、請求項４に記載の発明においては、
既存の操作用装置について保護カバーを後付で装着する場合でも、非常ボタンの押圧面に表示される「非常」などの文字を有効に利用することができる。
【００２７】
また、請求項５に記載の発明においては、
例えば、非常時における停電により周囲が暗くなってしまった状況においても、保護カバーが蛍光性を発揮して発光するため、保護カバーの位置を素早く把握することが可能となり、迅速な対応を図ることが可能となる。
【００２８】
また、請求項６に記載の発明においては、
破断用部位が破断した際には、押圧用部位とともに非常ボタンが押し操作されることになり、非常時における非常ボタンの操作の容易性・確実性を実現することができる。また、破断用部位の破断により、非常ボタンが操作されたという履歴の確認も行うことができる。
【００２９】
また、請求項７に記載の発明においては、
破断用部位が破断した際には、押圧用部位とともに非常ボタンが押し操作されることになり、非常時における非常ボタンの操作の容易性・確実性を実現することができる。また、破断用部位の破断により、非常ボタンが操作されたという履歴の確認も行うことができる。
【図面の簡単な説明】
【００３０】
【図１】（ａ）は、本発明の一実施例にかかる保護カバーとそれを取付ける操作用装置について示す図。（ｂ）は、同じく保護カバーを取付けた状態の操作用装置について示す図。
【図２】（ａ）は、操作用装置がシャッター装置のガイドレールの見付面側に配置される例について示す図。（ｂ）は、操作用装置がシャッター装置のガイドレールの見込面側に配置される例について示す図。
【図３】（ａ）は、保護カバーのオモテ面について示す図。（ｂ）は、保護カバーのウラ面について示す図。（ｃ）は、保護カバーの側面図。（ｄ）は、非常ボタンの周りの構成について示す図。（ｅ）は、（ａ）のＡ−Ａ線断面図。（ｆ）は、（ａ）のＢ−Ｂ線断面図。（ｇ）は、押圧用部位が分離された状態を示す断面図。（ｈ）は、押圧用部位が分離された状態を示す斜視図。
【図４】（ａ）は、保護カバーと非常ボタンの関係について示す側断面図。（ｂ）は、保護カバーを装着した状態について示す側断面図。
【図５】非常ボタンが押し操作された状態について示す側断面図。
【図６】（ａ）は、実施例２の保護カバーのオモテ面について示す図。（ｂ）は、実施例２の保護カバーのウラ面について示す図。（ｃ）は、（ａ）のＡ−Ａ線断面図。（ｄ）は、押圧用部位が傾倒した状態について示す図。
【図７】（ａ）は、実施例３の保護カバーの構成について示す側断面図。（ｂ）は、実施例３の構成において、非常ボタンが押し操作された状態について示す側断面図。
【発明を実施するための形態】
【００３１】
本発明の実施の形態は、図１（ａ）（ｂ）、図３（ａ）、及び、図４（ａ）に示すごとく、
意図しない非常ボタン２の押し操作を防止するための非常ボタンの保護カバー３であって、
前記保護カバー３には、予め破断用部位３４・３４が形設され、
前面保護カバー３には、前記非常ボタン２と接触する押圧用部位３３が形設され、
前記保護カバー３において前記押圧用部位３３が押圧された際に、
前記破断用部位３４・３４が破断することで、前記押圧用部位３３を介した非常ボタン２の押し操作が実施される、こととするものである。
【００３２】
これにより、図５に示すごとく、破断用部位３４・３４が破断した際には、押圧用部位３３とともに非常ボタン２が押し操作されることになり、非常時における非常ボタン２の操作の容易性・確実性を実現することができる。また、破断用部位３４・３４の破断により、非常ボタン２が操作されたという履歴の確認も行うことができる。
【００３３】
また、図１（ａ）（ｂ）及び図４（ａ）に示すごとく、
前記保護カバー３は、
前記操作用装置の本体側（前面プレート１０ａ）に形設されて前記非常ボタン２を覗かせるボタン開口部１０ｂと、前記非常ボタン２と、の間に形設される隙間部１０ｃに挿入されるための挿入片部３５を有し、
前記挿入片部３５が、前記ボタン開口部１０ｂの端面１０ｄに圧着されることで、
前記保護カバー３が、前記操作用装置の本体（前面プレート１０ａ）に装着される、
こととするものである。
【００３４】
これにより、図１（ａ）（ｂ）に示すごとく、保護カバー３を操作用装置１に対して容易に取り付けることが可能となり、既存の操作用装置に対する後付に対する要望に応じることや、交換の容易性を実現することができる。
以下ではシャッター装置に適用した実施例を用いて、本発明の具体的な構成について説明する。なお、以下の実施例では、シャッター装置に本発明を適用した例とするものであるが、シャッター装置に限らず、非常ボタンが設けられる他の装置についても本発明は適用が可能である。
【実施例１】
【００３５】
図１（ａ）は、シャッター装置の操作用装置１の概要について示すものである。この操作用装置１には、火災等の非常時において、任意にシャッターを降下させることによる随時閉鎖を実施するための非常ボタン２が設けられている。また、操作用装置１の本体１０の前面プレート１０ａには、非常ボタン２のオモテ面側となる押圧面２ａを覗かせるボタン開口部１０ｂが形設されている。
【００３６】
また、図１（ａ）に示すごとく、操作用装置１の本体１０は、ボックス状に構成されて設置箇所の壁部６に埋設されるようになっており、内部に非常ボタン２を動作させるための機構や、非常ボタン２の押し操作を検知するための機構が収容されるようになっている。なお、操作用装置１は、随時閉鎖のための非常ボタン２のみを備えるもののほか、昇降操作ボタンなど、他の操作を実施するためのボタン類や機能が設けられていてもよい。
【００３７】
また、図１（ａ）に示すごとく、操作用装置１において、ボタン開口部１０ｂの上方には、操作された後の非常ボタン２を復帰などさせるための工具を挿入するための挿入孔１０ｋが設けられている。
【００３８】
また、図１（ａ）に示すごとく、このボタン開口部１０ｂ、及び、非常ボタン２を覆うように、保護カバー３が前面プレート１０ａに装着され、図１（ｂ）に示される状態となる。この保護カバー３は、例えば、透明のアクリル樹脂などで構成されることにより、保護カバー３の裏側に配置されることとなる非常ボタン２の押圧面２ａの表示（例えば、「非常」）を視認可能とすることができる。
【００３９】
そして、この図１（ｂ）に示される状態が、通常時（非常時でない時）における状態であり、このように、保護カバー３の裏側に非常ボタン２を存在させることによって、「非常ボタン２の操作は非常時に限られる」「保護カバー３を破壊してまでも非常ボタン２を操作する緊急事態である」といったように、「操作する人に対して非常ボタン２の操作の必要性を認識させる」といった心理的効果を期待することができる。
【００４０】
また、図２（ａ）に示すごとく、操作用装置１は、シャッター装置４Ａのガイドレール４１の見付面側に配置されることや、図２（ｂ）に示すごとく、シャッター装置４Ｂのガイドレール４２の見込面側に配置されることができる。この他、建物壁面４３にも配置されることもできる。なお、図１（ａ）に示される本実施例１の構成のように、操作用装置１が縦長の構成である場合には、その横幅を狭くすることができるため、ガイドレールの見付面など、操作用装置の設置スペースの幅が限られる箇所においても、設置可能が可能となり、設置箇所の自由度が高いものとなる。
【００４１】
図３（ａ）（ｂ）（ｃ）は、保護カバー３の外観について示す図である。
この保護カバー３は、図３（ｃ）に示されるように板状の部材であって、図３（ａ）ではオモテ面が示されており、図３（ｂ）ではウラ面が示されている。また、この保護カバー３は、板状のベース部３１を有しており、このベース部３１には、ベース部３１のオモテ面とウラ面の間を貫通させる貫通部３２ａ・３２ｂが形成されている。
【００４２】
図３（ａ）（ｂ）に示すごとく、本実施例では、縦方向に長い長孔状の貫通部３２ａ・３２ａが横方向の間隔を開けて形設されるとともに、横方向に長い長孔状の貫通部３２ｂ・３２ｂが縦方向の間隔を開けて形設される。図３（ｅ）は図３（ａ）のＡ−Ａ線断面図であり、図３（ｆ）は図３（ａ）のＢ−Ｂ線断面図であり、これら断面図にも貫通部３２ａ・３２ｂが現れている。
【００４３】
また、図３（ａ）に示すごとく、ベース部３１に形設される貫通部３２ａ・３２ｂによって、略長方形状の囲まれた部位が形設される。そして、この部位が押圧用部位３３として構成される。
【００４４】
また、図３（ａ）に示すごとく、縦方向の貫通部３２ａと横方向の貫通部３２ｂの端部の間の箇所が、破断用部位３４・３４として構成されるようになっている。ここで、破断用部位３４・３４は、貫通部３２ａ・３２ｂによって挟まれることから、ベース部３１のうちで貫通部３２ａ・３２ｂの内側に構成される押圧用部位３３と、貫通部３２ａ・３２ｂの外側に構成される外周部位３６を結ぶ、断面積の小さい架橋部として構成されるようになっている。そして、このように破断用部位３４・３４の断面積が小さく構成されることで、図３（ｇ）（ｈ）に示すごとく、押圧用部位３３のオモテ面３３ａが指などで押圧されると、破断用部位３４・３４が破断することで、押圧用部位３３がベース部３１の外周部位３６と分離されるようになっている。
【００４５】
また、図３（ｂ）（ｃ）に示すごとく、保護カバー３のベース部３１には、貫通部３２ａ・３２ｂの外側を取り囲むように四方枠状に形成され、ベース部３１のウラ面３１ａから突出される挿入片部３５が構成されている。この挿入片部３５は、図３（ｄ）に示される隙間部１０ｃに挿入されるように構成されている。この隙間部１０ｃは、ボタン開口部１０ｂと非常ボタン２の間に形設されるものである。
【００４６】
また、図４（ａ）に示すごとく、保護カバー３は、操作用装置１の前面プレート１０ａに形設されたボタン開口部１０ｂに対向させつつ、保護カバー３の挿入片部３５を隙間部１０ｃに挿入させることで、図４（ｂ）に示すごとく、保護カバー３が前面プレート１０ａに対して装着されるようになっている。
【００４７】
ここで、図４（ａ）に示すごとく、挿入片部３５の外周面３５ａは、ボタン開口部１０ｂの端面１０ｄ（内周面）に対して圧着されるようになっている。これにより、図４（ｂ）に示されるように、保護カバー３が前面プレート１０ａに装着された状態では、外周面３５ａと端面１０ｄが嵌め合わされた状態となる（いわゆる、＋交差の嵌め合いとなる）。これにより、保護カバー３を装着した際には、この挿入片部３５とボタン開口部１０ｂが嵌め合わされた状態となって、保護カバー３の脱落を防止することができるようになっている。
【００４８】
なお、図４（ｂ）に示すごとく、挿入片部３５の内周面３５ｂと、非常ボタン２の外周面２ｂの間には、隙間部１０ｅが確保されることとし、この隙間部１０ｅによって、非常ボタン２と挿入片部３５が擦れ合うことがなく、摩擦が生じないこととして、非常ボタン２の動作の妨げが生じないようになっている。
【００４９】
また、図４（ａ）（ｂ）に示すごとく、保護カバー３の押圧用部位３３は、前面プレート１０ａに装着された状態において、非常ボタン２の押圧面２ａに対向して配置されるようになっている。そして、図４（ｂ）に示すごとく、保護カバー３を前面プレート１０ａに装着した状態では、押圧用部位３３のウラ面３３ｂと、非常ボタン２の押圧面２ａとが接触するようになっている。本実施例では、押圧用部位３３のウラ面３３ｂと非常ボタン２の押圧面２ａとが、それぞれ平坦な面で構成されるため、互いに面で接触するようになっている。
【００５０】
また、図４（ａ）に示すごとく、貫通部３２ａ・３２ｂは、保護カバー３が装着された状態では、ボタン開口部１０ｂよりも内側に配置されるようになっている。これにより、押圧用部位３３がボタン開口部１０ｂよりも内側に配置されるようになっており、後述するように、押圧用部位３３が非常ボタン２と一体として押し込まれることが可能となっている。
【００５１】
以上の構成により、図５に示すごとく、保護カバー３を前面プレート１０ａに装着された状態において、非常時に指５によって押圧用部位３３のオモテ面３３ａが押圧された際には、破断用部位３４・３４が破断して、押圧用部位３３とともに非常ボタン２が押し操作される。
【００５２】
ここでの操作においては、図４（ｂ）に示すごとく、押圧用部位３３のウラ面３３ｂと、非常ボタン２の押圧面２ａとが接触することとなっているため、破断用部位３４・３４が破断した際には、押圧用部位３３とともに非常ボタン２が押し操作されることになる。これにより、保護カバー３の破断用部位３４・３４の破断と同時に、非常ボタン２が操作されることとなるため、一段階の操作とすることができ、非常時における非常ボタンの操作の容易性・確実性を実現することができる。
【００５３】
また、図５に示すごとく、破断用部位３４・３４を破断させる形態とすることが、操作の確実性において、特に有効なものとなる。つまり、非常ボタン２を押そうとして、押圧用部位３３が押圧される際には、破断用部位３４・３４を破断させるための押圧力が要求されるが、破断が生じる前段階では、指５には押圧用部位３３からの反力がかかることになる。そして、破断が生じた際には、押圧用部位３３からの反力が瞬時に無くなるため、破断するまで指５でかけていた押圧力をもって、押圧用部位３３が勢い良く押し込まれることになる。これにより、非常ボタン２が中途半端に押し込まれるといったことが無く、確実に押し込まれることとすることができる。このように、破断用部位３４・３４を破断させる形態により、非常ボタン２の操作の確実性を高めることができるのである。
【００５４】
また、図５に示すごとく、このように非常ボタン２が操作された際には、破断用部位３４・３４の一部、若しくは、全部が破断して、その破断の形跡が残ることから、非常ボタン２が操作されたという履歴の確認を行うことができる。
【００５５】
また、図３（ａ）（ｂ）（ｃ）に示すように、保護カバー３は、板状のベース部３１を有し、前記ベース部に前記ベース部のオモテ面とウラ面の間を貫通させる複数の貫通部３２ａ・３２ｂを形設し、複数の前記貫通部３２ａ・３２ｂの間の部位を、前記破断用部位３４・３４とするとともに、前記貫通部３２ａ・３２ｂによって囲まれる部位を、前記押圧用部位３３とすることとするものである。
【００５６】
このように構成することで、貫通部３２ａ・３２ｂを形設するだけで、破断用部位３４・３４として機能する部位と、押圧用部位３３として機能する部位を構成することができ、簡易な構成となって、安価な製作コストにより保護カバー３を製作することができる。また、後付・交換の観点からも、安価な製作コストとを実現することは、極めて有効となる。
【００５７】
また、図３（ａ）に示すように、保護カバー３の貫通部３２ａ・３２ｂの形状については、特に限定されるものではないが、本実施例のように、長孔状に構成することが好ましい。
【００５８】
このように長孔状に構成することによって、破断用部位３４・３４の断面積を小さくすることができ、破断（剪断）を発生し易くすることが可能となる。なお、長孔状とするほか、円形の孔を線状に並べて配置することや、線状に構成することとしてもよい。また、貫通させることなく、肉厚の薄い底部を有する溝状部とすることなども考えられる。
【００５９】
また、図１（ａ）（ｂ）に示すごとく、保護カバー３（図３（ａ）における押圧用部位３３の部位のみであってもよい）は透明性を有し、保護カバー３を装着した状態において、非常ボタン２の押圧面２ａが視認できる構成とすることが好ましい。
【００６０】
これによれば、既存の操作用装置１について保護カバー３を後付で装着する場合でも、非常ボタン２の押圧面２ａに表示される「非常」などの文字を有効に利用することができる。
【００６１】
また、図１（ａ）に示す保護カバー３において、保護カバー３が蛍光性を有する構成としてもよい。例えば、保護カバー３を樹脂成形する際に、蛍光性を有する材料を混在させて、周囲が暗い状況において、保護カバー３そのものが発光することとすることや、蛍光塗料を保護カバー３に塗布したり、蛍光性を有するシールを保護カバー３の一部に貼付したりするものである。なお、図３（ａ）に示す構成において、押圧用部位３３の部位のみに蛍光性を有することして、押圧用部位３３を目立たせることや、外周部位３６の部位のみに蛍光性を有することして、押圧用部位３３の裏側の非常ボタン２を目立たせる構成としてもよい。
【００６２】
これにより、例えば、非常時における停電により周囲が暗くなってしまった状況においても、保護カバー３が蛍光性を発揮して発光するため、保護カバー３の位置を素早く把握することが可能となり、迅速な対応を図ることが可能となる。また、保護カバー３に、「非常」、「強く押してください」などの指標となる情報を表示してもよい。
【００６３】
さらに、図１（ａ）及び図４（ａ）（ｂ）に示すごとく、操作用装置１に対する保護カバー３の挿着は、保護カバー３をボタン開口部１０ｂに挿入するだけで完了することができる。これにより、既存の操作用装置１について保護カバー３を後付で装着する要望にも応えることが可能となる。また、非常時において非常ボタン２が操作され、保護カバー３の破断用部位３４・３４が破断した後に、保護カバー３を交換する際には、既存の保護カバー３を引き抜くとともに、新たな保護カバー３を装着するだけで、容易に交換作業を終了することができる。
【００６４】
また、図１（ａ）（ｂ）に示すごとく、保護カバー３の横幅寸法Ｗ１、及び、縦幅寸法Ｈ１は、保護カバー３が装着される操作用装置１の前面プレート１０ａの横幅寸法Ｗ２、及び、縦幅寸法Ｈ２以下に構成されることとすることが好ましい。
【００６５】
これにより、保護カバー３を前面プレート１０ａの範囲内に納めることができ、操作用装置１が設置される部位に存在する壁部６などの他の部位と保護カバー３の干渉が発生することが無く、保護カバー３を操作用装置１に装着することができる。
【実施例２】
【００６６】
本実施例２は、図６（ａ）（ｂ）に示すごとく、保護カバー３Ａについて、長孔状の貫通部３２ｃ・３２ｄを門状に配置する構成とするものである。即ち、縦方向に長い長孔状の貫通部３２ｃ・３２ｃが横方向の間隔を開けて形設されるとともに、横方向に長い長孔状の貫通部３２ｄの両端部が、貫通部３２ｃ・３２ｃの上端部の近傍に配置されるように配置される。
【００６７】
そして、図６（ａ）（ｂ）に示すごとく、縦方向の貫通部３２ｃと横方向の貫通部３２ｄの端部の間の箇所が、破断用部位３４Ａ・３４Ａとして構成されるようになっている。そして、門状の貫通部３２ｃ・３２ｄにて囲まれる範囲が、押圧用部位３３Ａとして構成されるようになっている。その他の構成は、実施例１のものと同様である。
【００６８】
以上の実施例２の構成により、図６（ｃ）（ｄ）に示すごとく、非常時において押圧用部位３３Ａが押圧された際には、押圧用部位３３Ａの下部３３ｍが、保護カバー３Ａの外周部位３６から切り離されずに、外周部位３６との係属を維持したままに屈折した状態となるとともに、押圧用部位３３Ａの上部における破断用部位３４Ａが破断して外周部位３６Ａから切り離され、押圧用部位３３Ａが下端を基点として傾倒されるようになる。換言すれば、押圧用部位３３Ａが押圧された際に、押圧用部位３３Ａの一部が屈折するとともに、破断用部位３４Ａが破断する構成とするものである。
【００６９】
そして、この実施例２の構成によれば、非常ボタンが操作された場合であっても、押圧用部位３３Ａが外周部位３６Ａと分離しないため、ボタン開口部１０ｂ（図１参照）内に、押圧用部位３３Ａの破片が詰まるなどの不具合を防止することができる。また、保護カバー３Ａの交換時は、押圧用部位３３Ａも一体となって保護カバー３Ａを取外すことが可能となり、作業性が良好なものとなる。
【００７０】
なお、図６（ａ）に示されるような門状の貫通部３２ｃ・３２ｄとする場合には、押圧用部位３３Ａの上部の破断用部位３４Ａ・３４Ａが破断して、図６（ｄ）のように押圧用部位３３Ａが傾倒することになる。このため、本実施例の保護カバー３Ａは、図示せぬ非常ボタンについては、このような押圧用部位３３Ａの傾倒と同じように傾倒するものである場合についての利用が好ましい。つまり、非常ボタンが下側を基点として上側が押し込まれて傾倒する形態のもの（例えば、図５に示されるように押し込まれる際に傾く非常ボタン２）について、本実施例２の構成の適用が好ましいこととなる。
【実施例３】
【００７１】
実施例３は、図７（ａ）（ｂ）に示すごとく、保護カバー３Ｂの押圧用部位３３Ｂについて、押圧用部位Ｂのウラ側へ突出し、非常ボタン２の押圧面２ａに接触するための突出部３３ｃを設ける構成とするものである。
【００７２】
この実施例３の構成は、図７（ｂ）に示すごとく、非常ボタン２が下側を基点として上側が押し込まれて傾倒する形態のものについて特に好適なものとなる。押圧用部位３３Ｂからの荷重を突出部３３ｃに集中させて非常ボタン２の上部に作用させることができ、押圧用部位３３Ｂにかけられる荷重を効果的に利用することができるためである。なお、突出部３３ｃの形状については、本実施例のように、円弧状の断面を形成するもののほか、他の構成であってもよく、特に限定されるものではない。
【産業上の利用可能性】
【００７３】
本発明の保護カバーは、シャッター装置の操作用装置に設けられる非常ボタンの保護カバーとして用いられる他、シャッター装置に限らず、非常ボタンが設けられるあらゆる装置について、その非常ボタンをカバーするためのものとして利用することができる。
【符号の説明】
【００７４】
１    操作用装置
２    非常ボタン
２ａ    押圧面
２ｂ    外周面
３    保護カバー
１０    本体
１０ａ    前面プレート
１０ｂ    ボタン開口部
１０ｃ    隙間部
１０ｄ    端面
３１    ベース部
３１ａ    ウラ面
３２ａ    貫通部
３２ｂ    貫通部
３３    押圧用部位
３３ａ    オモテ面
３３ｂ    ウラ面
３４    破断用部位
３５    挿入片部
３６    外周部位
【図１】
2010275721.tif 000003
【図２】
2010275721.tif 000004
【図３】
2010275721.tif 000005
【図４】
2010275721.tif 000006
【図５】
2010275721.tif 000007
【図６】
2010275721.tif 000008
【図７】
2010275721.tif 000009